(57)【要約】【課題】コストの安い組立ての容易な合成樹脂製保持器を提供することである。【解決手段】２枚の合成樹脂製環状体５ａ、５ｂの合せ面に複数の半球状ポケット６を周方向に間隔をおいて形成する。各ポケット６の開口部一端に開き止め爪７を設け、他端部に係合凹部８を形成する。隣接するポケット６間の結合部１１に係合孔１２と係合爪１３とを設け、係合凹部８に対する開き止め爪７の係合および係合孔１２に対する係合爪１３の係合により２枚の環状体５ａ、５ｂを結合して保持器４を組立てる。また、２枚の環状体５ａ、５ｂを同一形状として、１種類の金型により成形できるようにしてコストの低減を図る。【選択図】　図５
2004076778.tif 000002
【特許請求の範囲】
【請求項１】
軸方向に対向配置される２枚の環状体から成り、各環状体の対向面それぞれにボールが収容される複数の半球状ポケットを周方向に等間隔に設け、各ポケットの内面一端部にボールの外周に沿って延びる開き止め爪を設け、内面他端部に他方の環状体に形成された前記開き止め爪が係合される係合凹部を形成し、隣接するポケット間の結合部には軸方向に貫通する係合孔と、他方の環状体の結合部に形成された係合孔に係合される係合爪とを設け、前記２枚の環状体のそれぞれを合成樹脂の成形品とした合成樹脂製保持器。
【請求項２】
前記開き止め爪の先端からポケット内面に至る部分にボールとの間でグリース溜りを形成する凹入面を設けた請求項１に記載の合成樹脂製保持器。
【請求項３】
前記係合爪に付け根部分の厚みを薄肉厚とする盗みを設けた請求項１又は２に記載の合成樹脂製保持器。
【請求項４】
外輪と内輪との間にボールと、そのボールを保持する保持器とを組込んだ深溝玉軸受において、前記保持器が軸方向に対向配置される２枚の環状体から成り、各環状体の対向面それぞれにボールが収容される複数の半球状ポケットを周方向に等間隔に設け、各ポケットの内面一端部にボールの外周に沿って延びる開き止め爪を設け、内面他端部に他方の環状体に形成された前記開き止め爪が係合される係合凹部を形成し、隣接するポケット間の結合部には軸方向に貫通する係合孔と、他方の環状体の結合部に形成された係合孔に係合される係合爪とを設け、前記２枚の環状体のそれぞれを合成樹脂の成形品としたことを特徴とする深溝玉軸受。
【発明の詳細な説明】
【０００１】
【発明の属する技術分野】
この発明は、合成樹脂製の保持器およびその保持器を用いた深溝玉軸受に関するものである。
【０００２】
【従来の技術】
合成樹脂製保持器として、実開平６−１８４８号公報に記載されたものが従来から知られている。この公報に記載された合成樹脂製保持器においては、リング状の保持器本体の一側面に対向一対の爪を周方向に等間隔に設け、対向一対の爪間にボール保持用のポケットを形成し、隣接するポケット間の隣接する爪間に連結脚を設け、その連結脚にリング状の蓋体を連結している。
【０００３】
上記合成樹脂製保持器においては、保持器本体に蓋体を連結することによって、保持器本体の外径方向への変形を防止することができるため、剛性の高い保持器を得ることができ、高速回転用として使用することができるという特徴を有する。
【０００４】
【発明が解決しようとする課題】
ところで、上記従来の合成樹脂製保持器においては、保持器本体の成形用金型と、蓋体の成形用金型の２種類の成形金型を必要とするため、合成樹脂製保持器のコストが高く、そのコストを低減化を図るうえにおいて改善すべき点が残されている。
【０００５】
また、保持器本体と蓋体をそれぞれ別々に管理する必要があるため、管理工数が増え、その管理工数を少なくするうえにおいても改善すべき点が残されている。
【０００６】
この発明の課題は、コストの安い組立ての容易な合成樹脂製保持器および深溝玉軸受を提供することである。
【０００７】
【課題を解決するための手段】
上記の課題を解決するため、この発明に係る合成樹脂製保持器においては、軸方向に対向配置される２枚の環状体から成り、各環状体の対向面それぞれにボールが収容される複数の半球状ポケットを周方向に等間隔に設け、各ポケットの内面一端部にボールの外周に沿って延びる開き止め爪を設け、内面他端部に他方の環状体に形成された前記開き止め爪が係合される係合凹部を形成し、隣接するポケット間の結合部には軸方向に貫通する係合孔と、他方の環状体の結合部に形成された係合孔に係合される係合爪とを設け、前記２枚の環状体のそれぞれを合成樹脂の成形品とした構成を採用している。
【０００８】
上記のように構成すれば、係合凹部に開き止め爪を係合させ、係合孔に係合爪を係合させることによって２枚の環状体は結合状態に保持され、合成樹脂製保持器をきわめて簡単に組立てることができる。
【０００９】
ここで、結合部に設けられた係合爪と係合孔とでのみ２枚の環状体を結合する構造であると、軸受の回転時に、各環状体のポケットにボールからの軸方向分力が作用し、ポケットの突き合わせ端が開いてポケットが変形するおそれがある。
ポケットが変形した場合、ボールとポケットの接触が点接触から面接触に移行し、滑りによってポケット面の摩耗を促進したり、グリースを劣化させ、あるいは軸受トルクを増大させるおそれがある。
【００１０】
しかし、この発明に係る合成樹脂保持器では、ポケットの内面両端を開き止め爪と係合凹部の係合によって互に連結しているため、ボールの押圧によるポケットの変形を確実に防止することができ、ポケット面の摩耗やグリースの劣化、あるいは軸受トルクの増大を抑制することができる。
【００１１】
また、２枚の環状体の結合部を係合爪と係合孔の係合によって互に連結することによって、２枚の環状体の軸方向および径方向のずれ動きを確実に防止することができ、剛性の高い保持器を得ることができる。
【００１２】
さらに、環状体のポケットの開口部に開き止め爪と係合凹部を設け、結合部に係合爪と係合孔とを設けることによって、ポケットの数が偶数であっても奇数であっても２枚の環状体を同一形状とすることができる。このため、成形用金型は１種類でよく、コストの安い合成樹脂製保持器を得ることができる。
【００１３】
ここで、環状体を形成する合成樹脂として、エンジニアリングプラスチック、例えばポリフェニレンスルファイド（ＰＰＳ）を採用することにより、剛性の高い保持器を得ることができる。
【００１４】
この発明に係る合成樹脂製保持器において、前記開き止め爪の先端からポケット内面に至る部分にボールとの間でグリース溜りを形成する凹入面を設けることによって、凹入面とボール間に形成されるグリース溜りにグリースを保持させることができるので、ボールとポケットの接触部を長期にわたって良好に潤滑することができる。
【００１５】
また、前記係合爪に付け根部分の厚みを薄肉厚とする盗みを設けることによって係合爪が弾性変形し易くなり、保持器の組立て性を向上させることができる。
【００１６】
この発明に係る深溝玉軸受においては、外輪と内輪の間に組込まれた複数のボールを前述の発明の合成樹脂製保持器で保持する構成を採用している。
【００１７】
上記の構成を採用することによって、組立ての容易なコストの安い深溝玉軸受を得ることができる。
【００１８】
【発明の実施の形態】
以下、この発明の実施の形態を図面に基づいて説明する。図１に示すように、深溝玉軸受は、外輪１と、内輪２と、その両輪１、２間に組込まれたボール３およびそのボール３を保持する合成樹脂製の保持器４から成る。
【００１９】
図２乃至図５に示すように、保持器４は、軸方向に対向配置された２枚の環状体５ａ、５ｂから成り、各環状体５ａ、５ｂは波形とされ、対向面にはボール３の外周に沿う複数の半球状のポケット６が周方向に等間隔に形成されている。
【００２０】
各ポケット６の内面の一端部にはボール３の外周に沿って延びる開き止め爪７が設けられ、内面の他端部には他方の環状体に形成された上記開き止め爪７が係合される係合凹部８が形成されている。開き止め爪７の先端からポケット６の内面に至る部分は凹入面９とされ、その凹入面９はボール３との間でグリース溜り１０を形成している。
【００２１】
前記環状体５ａ、５ｂの隣接するポケット６間に形成された結合部１１には軸方向一側の合せ面１１ａから他側面に貫通する係合孔１２が設けられている。また、合せ面１１ａには他方の環状体の結合部１１に形成された係合孔１２に係合爪１３が設けられている。
【００２２】
係合爪１３は鈎部１３ａを先端に有し、その鈎部１３ａは結合部１１の他側面における係合孔１２の開口周縁部に対して係合可能とされている。
【００２３】
係合爪１２には、付け根部分の厚みを薄肉厚とする盗み１４が設けられている。
【００２４】
上記の構成から成る環状体５ａ、５ｂは合成樹脂の成形品から成る。合成樹脂として、ポリフェニレンスルファイド（ＰＰＳ）等のエンジニアリングプラスチックが採用されている。
【００２５】
実施の形態で示す深溝玉軸受は上記の構造から成り、その深溝玉軸受の組立てに際しては、外輪１と内輪２間に複数のボール３を組込んだのち、その両輪１、２の両側方に環状体５ａ、５ｂを配置し、各環状体５ａ、５ｂのポケット６がボール３と対向するよう位置調整したのち、結合部１１の合せ面１１ａが衝合する位置まで２枚の環状体５ａ、５ｂを軸方向に押し込む。その押し込みによって、係合凹部８に開き止め爪７が係合すると共に、係合孔１２に係合爪１３が係合し、その係合によって２枚の環状体５ａ、５ｂが結合一体化され、保持器４が組み立てられる。
【００２６】
このように、２枚の環状体５ａ、５ｂを軸方向に押し込む簡単な作用によって保持器４を組立てることができると共に、開き止め爪７と係合凹部８の係合によって軸方向で対向するポケット６の突き合わせ端の開きを防止することができる。
【００２７】
このため、深溝玉軸受の回転時にポケット６がボール３で押圧されてもポケット６は変形することがない。したがって、ボール３とポケット６の接触を常に一定の状態に保持することができ、ポケット面の摩耗やグリースの劣化、あるいは軸受トルクの増加を抑制することができる。
【００２８】
また、２枚の環状体５ａ、５ｂの結合部１１を係合孔１２と係合爪１３の係合によって互に連結することによって、２枚の環状体５ａ、５ｂの軸方向および径方向のずれ動きを確実に防止することができ、剛性の高い保持器４を得ることができる。
【００２９】
ここで、２枚の環状体５ａ、５ｂは、ポケット６の内面一端に開き止め爪７を設け、内面他端部に係合凹部８を形成し、結合部１１に係合孔１２と係合爪１３とを形成した同一の形状であるため、成形用の金型は１種類でよく、コストの安い保持器４を得ることができる。
【００３０】
図３乃至図４に示すように、開き止め爪７の先端からポケット６の内面に至る部分に凹入面９を形成することにより、その凹入面９とボール３との間にグリース溜り１０を設けることができ、多くのグリースを保持させることができる。
【００３１】
【発明の効果】
以上のように、この発明においては、２枚の環状体を対向配置して軸方向に押し込むことにより、係合凹部に開き止め爪が係合し、かつ係合孔に係合爪が係合して２枚の環状体が結合されるため、保持器をきわめて簡単に組立てることができる。
【００３２】
また、２枚の環状体は同一形状であるため１種類の成形用金型により成形することができ、コストの安い保持器を得ることができる。
【００３３】
さらに、軸方向で対向するポケットの突き合わせ端を開き止め爪と係合凹部の係合によって互に連結したので、玉軸受の回転時にポケットがボールによって軸方向に押圧された場合に、その押圧力を開き止め爪と係合凹部の係合によって受けることができ、ポケットが変形するのを防止することができる。このため、ボールとポケットの接触を常に一定に保持することができ、ポケット面の摩耗やグリースの劣化あるいは軸受トルクの増大を抑制することができる。
【図面の簡単な説明】
【図１】この発明に係る深溝玉軸受の実施の形態を示す縦断正面図
【図２】図１に示す深溝玉軸受の保持器を示す一部切欠側面図
【図３】図２に示す保持器の一部分を拡大して示す平面図
【図４】図２に示す保持器の一部分を拡大して示す断面図
【図５】図３に示す保持器の分解斜視図
【符号の説明】
１　外輪
２　内輪
３　ボール
４　保持器
５ａ、５ｂ　環状体
６　ポケット
７　開き止め爪
８　係合凹部
９　凹入面
１０　グリース溜り
１１　結合部
１２　係合孔
１３　係合爪
１４　盗み
【図１】
2004076778.tif 000003
【図２】
2004076778.tif 000004
【図３】
2004076778.tif 000005
【図４】
2004076778.tif 000006
【図５】
2004076778.tif 000007